(57)【特許請求の範囲】
【請求項１】
第１の無線通信ネットワークと関連付けられた第１の無線通信装置と第２の無線通信ネットワークと関連付けられた第２の無線通信装置との間で、ソフトウェアインターフェースを介して、第１の設定情報を交換する段階であり、前記第１の設定情報は少なくとも、前記第１の無線通信装置及び前記第２の無線通信装置の送信電力及びアンテナ・アイソレーションの情報を含み、前記第１の無線通信ネットワークはＷｉ−Ｆｉ技術で動作し、前記第２の無線通信ネットワークはＷｉＭＡＸ技術で動作し、前記第１及び第２の無線通信装置は単一のプラットフォームに統合され、優先情報を送信するために互いに１又は複数の有線接続を介し動作可能に結合される、第１の設定情報を交換する段階；
前記第１の無線通信装置の前記送信電力が送信電力閾値より高いこと又は前記第２の無線通信装置の前記アンテナ・アイソレーションがアンテナ・アイソレーション閾値より低いこと、を前記第１の設定情報が指し示すことに応答して、前記第１の無線通信装置が、送信電力を低減させて、前記第１及び第２の無線通信装置が、互いに少なくとも部分的に重複あるいは近接する干渉し合う周波数範囲上で前記第１及び第２の無線通信ネットワークを用いて同時に通信することを可能にする段階；
前記第１の無線通信装置が前記第１の無線通信ネットワーク上で、そして前記第２の無線通信装置が前記第２の無線通信ネットワーク上で、調整された設定に基づいて同時通信する段階であり、前記第１の無線通信ネットワーク及び前記第２の無線通信ネットワークは、互いに少なくとも部分的に重複あるいは近接する干渉し合う周波数範囲で動作する、同時通信する段階；
前記同時通信する段階に続いて前記第１の無線通信装置と前記第２の無線通信装置との間で交換される第２の設定情報に基づいて、前記第１の無線通信装置及び前記第２の無線通信装置の少なくとも一方が、優先情報を含む優先度信号を生成する段階；及び
前記第１の無線通信装置及び前記第２の無線通信装置の少なくとも一方が前記優先度信号を受信したことに応答して、前記同時通信を中止する段階；
を有する方法。
【請求項２】
前記第１及び第２の設定情報を交換することは、前記第１及び第２の無線通信装置と関連付けられたチャンネル、帯域幅、送信電力、フロントエンド・フィルター、受信感度、又はアンテナ・アイソレーションのうちの少なくとも１つを示す情報を交換することを有する、請求項１記載の方法。
【請求項３】
前記生成する段階は、重要な情報の通信を示す条件、及び前記第１及び第２の無線通信装置が同一周波数範囲、隣接周波数範囲、重複周波数範囲、又は実質的に近接する周波数範囲の少なくとも１つと関連付けられていることを示す条件、を検出することに応答して、優先情報を含む優先度信号を生成する段階を有する、請求項１記載の方法。
【請求項４】
前記第１の無線通信装置から前記第２の無線通信装置へ、第１の有線接続を介して、優先情報を含む前記優先度信号を送信する段階、を更に有する請求項１記載の方法。
【請求項５】
前記第２の無線通信装置で、第１の有線接続を介して、優先情報を含む前記優先度信号を受信する段階、を更に有する請求項１記載の方法。
【請求項６】
前記中止する段階は、前記第２の無線通信装置が前記第１の無線通信装置より高い優先度を有することを示す条件を検出することに応答して、前記第１の無線通信装置の通信活動、又は前記第１の無線通信装置が前記第２の無線通信装置より高い優先度を有することを示す条件を検出することに応答して、前記第２の無線通信装置の通信活動、の少なくとも１つを遅延又は廃棄する段階を有する、請求項１記載の方法。
【請求項７】
第１の装置ドライバと第１のネットワーク・インターフェース装置とを有し、Ｗｉ−Ｆｉ技術で動作する第１の無線通信ネットワークと関連付けられた第１の無線通信装置；
第２の装置ドライバと第２のネットワーク・インターフェース装置とを有し、ＷｉＭＡＸ技術で動作する第２の無線通信ネットワークと関連付けられた第２の無線通信装置；を有する装置であって、
前記第１及び第２のネットワーク・インターフェース装置は２つの単方向有線接続を介し互いに動作可能に結合され、優先情報を通信し、且つ
前記第１及び第２の装置ドライバは互いに動作可能に結合され、第１の設定情報を交換し、前記第１の設定情報は、前記第１及び第２の無線通信装置が設定を調整することを可能にするため、少なくとも、前記第１の無線通信装置及び前記第２の無線通信装置の送信電力及びアンテナ・アイソレーションの情報を含み、調整された設定は、前記第１の無線通信装置の前記送信電力が送信電力閾値より高いこと又は前記第２の無線通信装置の前記アンテナ・アイソレーションがアイソレーション閾値より低いこと、を前記第１の設定情報が指し示すことに基づいて低減された低減送信電力を含み、それにより、前記第１及び第２の無線通信装置が、互いに少なくとも部分的に重複あるいは近接する干渉し合う周波数範囲上で前記第１及び第２の無線通信ネットワークを用いて同時通信することを可能にし、前記同時通信に続いて前記第１の無線通信装置と前記第２の無線通信装置との間で交換される第２の設定情報に基づいて、優先情報を含む優先度信号を生成し、且つ優先情報を含む前記優先度信号の受信に応答して、前記第１及び第２の無線通信ネットワークの少なくとも一方上で前記同時通信を中止する、
装置。
【請求項８】
前記第１及び第２の設定情報は、前記第１の無線通信装置及び前記第２の無線通信装置の少なくとも一方と関連付けられたチャンネル、帯域幅、フロントエンド・フィルター、及び受信感度のうちの少なくとも１つを更に示す情報を有する、請求項７記載の装置。
【請求項９】
前記第１の装置ドライバ及び前記第２の装置ドライバの少なくとも一方は、重要な情報の通信を示す条件、及び前記第１及び第２の無線通信装置が同一周波数範囲、隣接周波数範囲、重複周波数範囲、又は実質的に近接する周波数範囲の少なくとも１つと関連付けられていることを示す条件、を検出することに応答して、優先情報を含む前記優先度信号を生成する、請求項７記載の装置。
【請求項１０】
前記第１のネットワーク・インターフェース装置は、前記優先度信号を前記第２のネットワーク・インターフェース装置へ、前記２つの単方向有線接続のうちの第１の有線接続を介し送信する、請求項７記載の装置。
【発明の詳細な説明】
【技術分野】
【０００１】
本発明は概して無線通信システムに関し、より詳細には複数の無線通信装置のプラットフォーム共存システムを提供する方法及び装置に関する。
【背景技術】
【０００２】
無線通信がオフィス、家庭、学校などで次第に普及するにつれ、異なる無線技術及びアプリケーションは協力して何時でも及び／又は何処でも計算及び通信するという要求に応えるよう動作する。例えば、種々の無線通信ネットワークは共存し、より高い計算及び／又は通信能力、より大きい機動性、及び／又は最終的にはシームレスなローミングを有する無線環境を提供する。
【０００３】
特に、無線個人域ネットワーク（ＷＰＡＮ）は、オフィスの作業空間又は家庭の部屋のような比較的狭い空間内で高速、短距離接続を提供する。無線ローカル・エリア・ネットワーク（ＷＬＡＮ）は、オフィス・ビル、家庭、学校等でＷＰＡＮより広い範囲を提供し得る。無線都市域ネットワーク（ＷＭＡＮ）は、例えばより広い地理的地域に渡り建物を互いに接続することによりＷＬＡＮより長距離をカバーし得る。無線広域ネットワーク（ＷＷＡＮ）は、ネットワークが携帯電話インフラで広く展開されるような最も広い範囲を提供し得る。上述の無線通信ネットワークのそれぞれは異なる使用法に対応するが、これらのネットワークの共存は、何時でも何処でも接続性を具えた一層強靱な環境を提供し得る。
【発明の概要】
【発明が解決しようとする課題】
【０００４】
一般的に、本願明細書は複数の無線通信装置のプラットフォーム共存システムを提供する方法及び装置を記載する。本願明細書に記載される方法及び装置はこの点において限定されない。
【図面の簡単な説明】
【０００５】
【図１】本願明細書で開示される方法及び装置の実施例による無線通信システムの例を示す図である。
【図２】複数の無線通信装置のプラットフォーム共存システムの例を示すブロック図である。
【図３】複数の無線通信装置のプラットフォーム共存システムの別の例を示すブロック図である。
【図４】加入者局の例を示すブロック図である。
【図５】図４の加入者局の例を設定するある方法を示すフロー図である。
【図６】図４の加入者局の例を実施するために用いられる処理システムの例を示すブロック図である。
【発明を実施するための形態】
【０００６】
図１を参照する。例である無線通信システム１００は、一般的に１１０、１２０、及び１３０として示される１又は複数の無線通信ネットワークを有して良い。特に、無線通信システム１００は、無線個人域ネットワーク（ＷＰＡＮ）１１０、無線ローカル・エリア・ネットワーク（ＷＬＡＮ）１２０、及び無線都市域ネットワーク（ＷＭＡＮ）１３０を有して良い。図１は３個の無線通信ネットワークを示すが、無線通信システム１００は更に多くの又は少ない無線通信ネットワークを有しても良い。例えば、無線通信ネットワーク１００は追加のＷＰＡＮ、ＷＬＡＮ、及び／又はＷＭＡＮを有して良い。本願明細書に記載される方法及び装置はこの点において限定されない。
【０００７】
無線通信システム１００はまた、一般的に１４０、１４２、１４４、１４６、及び１４８として示される１又は複数の加入者局を有して良い。例えば、加入者局１４０、１４２、１４４、１４６、及び１４８は無線電子機器を有して良い。無線電子機器は例えば、デスクトップ・コンピューター、ラップトップ・コンピューター、ハンドヘルド・コンピューター、タブレット・コンピューター、携帯電話、ページャー、音声及び／又はビデオ再生装置（例えばＭＰ３プレーヤー又はＤＶＤプレーヤー）、ゲーム機器、ビデオ・カメラ、デジタル・カメラ、ナビゲーション機器（例えばＧＰＳ装置）、無線周辺機器（例えばプリンター、スキャナー、ヘッドセット、キーボード、マウス、等）、医療機器（例えば心拍監視装置、血圧監視装置、等）、及び／又は他の適切な固定の、移動可能な、又は携帯可能な電子機器である。図１は５個の加入者局を示すが、無線通信システム１００は更に多くの又は少ない加入者局を有しても良い。
【０００８】
加入者局１４０、１４２、１４４、１４６、及び１４８は種々の変調技術を用いて良い。変調技術は例えば、スペクトル拡散変調（例えば直接拡散符号分割多元接続（ＤＳ−ＣＤＭＡ）、及び／又は周波数ホッピング符号分割多元接続（ＦＨ−ＣＤＭＡ））、時分割多重（ＴＤＭ）変調、周波数分割多重（ＦＤＭ）変調、直交周波数分割多重（ＯＦＤＭ）変調、多重搬送波変調（ＭＤＭ）、及び／又は無線接続を介し通信する他の適切な変調技術である。ある例では、ラップトップ・コンピューター１４０は、Ｂｌｕｅｔｏｏｔｈ（登録商標）、超広帯域（ＵＷＢ）、及び／又は無線ＩＣタグ（ＲＦＩＤ）のような非常に低電力しか必要としない適切な無線通信プロトコルに従い動作し、ＷＰＡＮ１１０を実施して良い。特に、ラップトップ・コンピューター１４０は、ＷＰＡＮ１１０に関連付けられた装置、例えばビデオ・カメラ１４２及び／又はプリンター１４４と無線接続を介し通信して良い。
【０００９】
別の例では、ラップトップ・コンピューター１４０は直接符号拡散（ＤＳＳＳ）変調、及び／又は周波数ホッピング符号拡散（ＦＨＳＳ）変調を用い、ＷＬＡＮ１２０（例えば電気電子技術者協会（ＩＥＥＥ）により制定された８０２．１１ファミリーの規格、及び／又は当該規格の変形及び展開）を実施して良い。例えば、ラップトップ・コンピューター１４０は、ＷＬＡＮ１２０に関連付けられた装置、例えばプリンター１４４、ハンドヘルド・コンピューター１４６、及び／又はスマートフォン１４８と無線接続を介し通信して良い。ラップトップ・コンピューター１４０はまた、アクセス・ポイント（ＡＰ）１５０と無線接続を介して通信して良い。ＡＰ１５０は以下に更に詳細に記載されるようにルーター１５２と動作可能に結合されて良い。或いは、ＡＰ１５０及びルーター１５２は単一の装置（例えば無線ルーター）に統合されて良い。
【００１０】
ラップトップ・コンピューター１４０はＯＦＤＭ変調を用い、無線周波数信号を複数の小さい下位信号に分割し、そして異なる周波数で同時に送信することにより大容量デジタル・データを送信して良い。特に、ラップトップ・コンピューター１４０はＯＦＤＭ変調を用い、ＷＭＡＮ１３０を実施して良い。例えば、ラップトップ・コンピューター１４０はＩＥＥＥにより制定された規格の８０２．１６ファミリーに従い動作し、固定の、移動可能な、及び／又は携帯可能な広帯域無線接続（ＢＷＡ）ネットワーク（例えばＩＥＥＥ規格８０２．１６、２００４年発行）を提供し、一般的に１６０、１６２、及び１６４として示される基地局と無線接続を介し通信して良い。
【００１１】
上述の例のいくつかはＩＥＥＥにより制定された規格に関連して記載されたが、本願明細書に開示される方法及び装置は他の特別利益団体及び／又は規格制定組織（例えばワイヤレス・フィディリティ（Ｗｉ−Ｆｉ））アライアンス、ワールドワイド・インターオペラビリティ・フォー・マイクロウェイブ・アクセス（ＷｉＭＡＸ）フォーラム、インフラレッド・データ・アソシエーション（ＩｒＤＡ）、第三世代パートナーシップ・プロジェクト（３ＧＰＰ）、等）による多くの仕様及び／又は規格に適用可能である。本願明細書に記載される方法及び装置はこの点において限定されない。
【００１２】
ＷＬＡＮ１２０及びＷＭＡＮ１３０は、インターネット、電話網（例えば、公衆交換電話網（ＰＳＴＮ））、ローカル・エリア・ネットワーク（ＬＡＮ）、ケーブル・ネットワーク、及び／又はＥｔｈｅｒｎｅｔ（登録商標）への接続を介した別の無線ネットワーク、デジタル加入者線（ＤＳＬ）、電話線、同軸ケーブル、及び／又は如何なる無線接続）、等のような共通の公衆又は私設ネットワーク１７０と動作可能に結合されて良い。ある例では、ＷＬＡＮ１２０は公共の公衆又は私設ネットワーク１７０とＡＰ１５０及び／又はルーター１５２を介し動作可能に結合されて良い。別の例では、ＷＬＡＮ１３０は公共の公衆又は私設ネットワーク１７０と基地局１６０、１６２、及び／又は１６４を介し動作可能に結合されて良い。
【００１３】
無線通信システム１００は他の適切な無線通信ネットワークを有して良い。例えば、無線通信ネットワーク１００は無線広域ネットワーク（ＷＷＡＮ）（示されない）を有して良い。ラップトップ・コンピューター１４０は他の無線通信プロトコルに従い動作し、ＷＷＡＮに対応して良い。特に、これらの無線通信プロトコルは、アナログ、デジタル、及び／又はデュアルモード通信システム技術、例えばグローバル・システム・フォー・モバイル・コミュニケーションズ（ＧＳＭ（登録商標））技術、広帯域符号分割多元接続（ＷＣＤＭＡ）技術、汎用パケット無線システム（ＧＰＲＳ）技術、拡張データＧＳＭ（登録商標）環境（ＥＤＧＥ）技術、ユニバーサル移動通信システム（ＵＭＴＳ）技術、これらの技術に基づく規格、これらの規格の変形及び展開、及び／又は他の適切な無線通信規格に基づいて良い。図１はＷＰＡＮ、ＷＬＡＮ、及びＷＭＡＮを示すが、無線通信システム１００はＷＰＡＮ、ＷＬＡＮ、ＷＭＡＮ、及び／又はＷＷＡＮの他の組合せを有して良い。本願明細書に記載される方法及び装置はこの点において限定されない。
【００１４】
無線通信システム１００は他のＷＰＡＮ、ＷＬＡＮ、ＷＭＡＮ、及び／又はＷＷＡＮ装置（示されない）、例えばネットワーク・インターフェース装置及び周辺機器（例えばネットワーク・インターフェース・カ―ド（ＮＩＣ））、アクセス・ポイント（ＡＰ）、再分配点、終端点、ゲートウェイ、ブリッジ、ハブ、等を有し、携帯電話システム、衛星システム、パーソナル通信システム（ＰＣＳ）、双方向無線システム、単方向ページャ・システム、双方向ページャ・システム、パーソナル・コンピューター（ＰＣ）システム、パーソナル・データ・アシスタント（ＰＤＡ）システム、パーソナル・コンピューター・アクセサリ（ＰＣＡ）システム、及び／又は他の適切な無線システムを実施して良い。特定の例が以上に記載されたが、本開示が包含する範囲はこれらに限定されない。
【００１５】
図２の例では、プラットフォーム共存システム２００は、一般的に２１０及び２２０として示される２個以上の無線通信装置を有して良い。プラットフォーム共存システム２００は加入者局（例えば図４の加入者局４００）のような単一のプラットフォームに統合されて良い。第１の無線通信装置（ＷＣＤ）２１０は第１のネットワーク・デバイス・インターフェース仕様（ＮＤＩＳ）アプリケーション・プログラム・インターフェース（ＡＰＩ）２１２、第１の装置ドライバ２１４，及び第１のネットワーク・インターフェース装置（ＮＩＤ）２１６を有して良い。第２の無線通信装置（ＷＣＤ）２２０は第２のＮＤＩＳ  ＡＰＩ２２２、第２の装置ドライバ２２４、及び第２のＮＩＤ２２６を有して良い。
【００１６】
一般的に、第１及び第２のＷＣＤ２１０及び２２０はソフトウェア（及び／又はファームウェア）及びハードウェアを介し互いに相互作用して良い。プラットフォーム共存システム２００のソフトウェア及び／又はファームウェアの段階２０２では、第１のＮＤＩＳ  ＡＰＩ２１２及び第１の装置ドライバ２１４は、第２のＮＤＩＳ  ＡＰＩ２２２及び第２の装置ドライバ２２４と動作可能に結合され、第１及び第２のＷＣＤ２１０及び２２０の設定情報を交換して良い。プラットフォーム共存システム２００のハードウェアの段階２０４では、第１及び第２のＮＩＤ２１６及び２２６は、一般的に２４２及び２４４として示される１又は複数の有線接続を介し互いに動作可能に結合され、第１及び第２のＷＣＤ２１０及び２２０の間で通信優先情報を通信して良い。特に、有線接続２４２及び２４４のそれぞれは単方向であり、以下に詳細に記載されるように優先情報（例えば優先信号）を送信して良い。ある例では、第１のＮＩＤ２１６は第１のＮＩＤ２１６から第２のＮＩＤ２２６へ第１の有線接続２４２を介し優先信号を送信して良い。一方、第２のＮＩＤ２２６は第２のＮＩＤ２２６から第１のＮＩＤ２１６へ第２の有線接続２４４を介し優先信号を送信して良い。図２は第１及び第２のＮＩＤ２１６及び２２６を動作可能に結合する２つの別個の単方向有線接続を示すが、第１及び第２のＮＩＤ２１６及び２２６は単一の単方向有線接続で互いに動作可能に結合されて良い。従って、第１のＮＩＤ２１６又は第２のＮＩＤ２２６の何れかからの優先信号は同一の有線接続で送信されて良い。
【００１７】
第１のＷＣＤ２１０は第１の無線通信ネットワーク（例えば図１のＷＬＡＮ１２０）に関連付けられた通信サービスを提供して良い。また、第２のＷＣＤ２２０は第２の無線通信ネットワーク（例えば図１のＷＷＡＮ１３０）に関連付けられて良い。第１及び第２のＷＣＤ２１０及び２２０は異なる無線技術に基づく無線通信ネットワークに関連付けられて良いが、第１及び第２のＷＣＤ２１０及び２２０は同一周波数範囲内、隣接周波数範囲、重複する周波数範囲、又は干渉を生じ得る比較的隣接した周波数範囲で動作して良い。ある例では、第１の無線通信ネットワークはＷｉ−Ｆｉ技術に基づき動作して良く、第２の無線通信ネットワークはＷｉＭＡＸ技術に基づき動作して良い。従って上述の例によると、第１のＷＣＤ２１０はＷｉ−Ｆｉ技術に基づき通信して良く、第２のＷＣＤ２２０はＷｉＭＡＸ技術に基づき通信して良い。  纏めると、Ｗｉ−Ｆｉ技術は、家庭、オフィス、カフェ、ホテル、空港、等を含む異なる地点で無線アクセス・ポイント（例えばホットスポット）の範囲内で高速無線接続を提供する。特にＷｉ−Ｆｉ技術は、無線装置が無線アクセス・ポイントの範囲内（例えば屋内で１５０フィート、屋外で３００フィート）に存在する場合に、物理的に無線装置をネットワークに接続することなく、無線装置がローカル・エリア・ネットワークに接続することを可能にして良い。ある例では、Ｗｉ−Ｆｉ技術は高速インターネット接続及び／又はボイス・オーバー・インターネット・プロトコル（ＶｏＩＰ）サービス接続を無線装置に提供して良い。Ｗｉ−Ｆｉ技術は２．４ギガヘルツ（ＧＨｚ）乃至２．４８３５ＧＨｚの周波数範囲で動作して良い。８０２．１１ファミリーの規格は、ＷＬＡＮ（例えば１９９９年発行のＩＥＥＥ規格８０２．１１ａ、１９９９年発行のＩＥＥＥ規格８０２．１１ｂ、２００３年発行のＩＥＥＥ規格８０２．１１ｇ）を規定するためにＩＥＥＥにより制定された。Ｗｉ−Ｆｉアライアンスは８０２．１１規格に基づくＷＬＡＮの展開を促進する。特にＷｉ−ＦｉアライアンスはＷＬＡＮ機器の互換性及び相互接続を保証する。便宜上、用語「８０２．１１」及び「Ｗｉ−Ｆｉ」は本願明細書を通じ同義的に用いられ、ＩＥＥＥ８０２．１１スーツの無線インターフェース規格を参照する。本願明細書に記載される方法及び装置はこの点において限定されない。  ＷｉＭＡＸ技術はＷｉ−Ｆｉ技術のような他の無線技術より広い地理的地域でラストマイル広帯域接続性を提供する。特に、ＷｉＭＡＸ技術は、有線伝送が高コストであり、不都合であり、及び／又は利用可能でない種々の地理的地点に広帯域又は高速データ接続を提供し得る。ある例では、ＷｉＭＡＸ技術は、より広範囲及び広帯域を提供し、Ｔ１型サービスを商用に、及び／又はケーブル／デジタル加入者線（ＤＳＬ）と等価な接続を家庭に提供し得る。ＷｉＭＡＸ技術は２乃至１１ＧＨｚの周波数範囲（例えば、２．３乃至２．４ＧＨｚ、２．５乃至２．７ＧＨｚ、３．３乃至３．８ＧＨｚ、又は４．９乃至５．８ＧＨｚ）で動作して良い。８０２．１６ファミリーの規格は、固定の、移動可能な、及び／又は携帯可能な広帯域無線接続ネットワーク（例えば、２００４年発行のＩＥＥＥ規格８０２．１��）を規定するためにＩＥＥＥにより制定された。ＷｉＭＡＸフォーラムは８０２.１６．１１規格に基づく広帯域無線接続ネットワークの展開を促進する。特にＷｉＭＡＸフォーラムは広帯域無線機器の互換性及び相互接続を保証する。便宜上、用語「８０２.１６」及び「ＷｉＭＡＸ」は本願明細書を通じ同義的に用いられ、ＩＥＥＥ８０２.１６スーツの無線インターフェース規格を参照する。本願明細書に記載される方法及び装置はこの点において限定されない。
【００１８】
以下に詳細に記載されるように、プラットフォーム共存システム２００の第１及び第２のＷＣＤ２１０及び２２０は、並置方式（例えば並列機能）で調整し動作することにより同時に動作して良い。ある例では、図２のプラットフォーム共存システム２００は図１のラップトップ・コンピューター１４０内に実施されて良い。上述のように、ある例では、第１のＷＣＤ２１０はＷｉ−Ｆｉ技術に基づき通信して良く、第２のＷＣＤ２２０はＷｉＭＡＸ技術に基づき通信して良い。特に、ラップトップ・コンピューター１４０は、第１のＷＣＤ２１０を用い、図１のＷＬＡＮ装置、例えばプリンター１４４、ハンドヘルド・コンピューター１４６、スマートフォン１４８、及び／又はアクセス・ポイント１５０と通信して良い。ラップトップ・コンピューター１４０は、第２のＷＣＤ２２０を用い、図１のＷＷＡＮ装置、例えば基地局１６０、１６２、及び／又は１６４と通信して良い。本願明細書に記載される方法及び装置はこの点において限定されない。
【００１９】
一般的に、Ｗｉ−Ｆｉ技術は周波数範囲２．４乃至２．４８３５ＧＨｚで動作して良く、ＷｉＭＡＸ技術は周波数範囲２．３ＧＨｚ乃至２．７ＧＨｚで動作して良い。従って、Ｗｉ−Ｆｉ技術及びＷｉＭＡＸ技術を同時に使用すると有意な干渉を生じる可能性がある。特に、干渉は周波数の近接近、高出力送信、アンテナ・アイソレーションの低さ、及び／又は高データ・レート変調（例えば６４直交振幅変調（ＱＡＭ））の場合の高い信号対雑音比の要件により引き起こされ得る。ある例では、Ｗｉ−Ｆｉ技術を用いた送信はＷｉＭＡＸ技術を用いた受信に影響を与え得る。逆も同様である。共存するＷｉ−Ｆｉ技術とＷｉＭＡＸ技術との間の起こり得る干渉を軽減するため、第１及び第２のＷＣＤ２１０及び２２０は以下に詳細に記載される並置方式で動作するよう設定されて良い。上述の例はＷｉ−Ｆｉ及びＷｉＭＡＸ技術に関して記載されたが、第１及び第２のＷＣＤ２１０及び２２０は他の無線技術に基づいても良い。
【００２０】
再び図２を参照する。第１及び第２のＷＣＤ２１０及び２２０は互いに設定情報を交換して良い。特に、装置ドライバ２１４及び２２４はそれぞれＮＤＩＳ２１６及び２２６を介し互いに設定情報を交換して良い。各通信装置の設定情報は、無線通信装置がそれぞれの無線通信ネットワークで無線接続を介し通信する方法を示して良い。例えば、装置ドライバ２１４及び２２４はそれぞれ第１及び第２のＷＣＤ２１０及び２２０により用いられる及び／又はそれらに割り当てられたチャンネルを示す情報を交換して良い。チャンネル情報に加え、装置ドライバ２１４及び２２４は、帯域幅、送信電力、フロントエンド・フィルター、受信感度、アンテナ・アイソレーションを示す情報、及び／又はそれぞれ第１及び第２のＷＣＤ２１０及び２２０と関連付けられた他の適切な情報を交換して良い。
【００２１】
設定情報に基づき、第１及び第２のＷＣＤ２１０及び２２０は並置方式で動作して良い。特に、第１及び第２の装置ドライバ２１４及び２２４のそれぞれは、それぞれＮＩＤ２１６及び２２６の無線設定を調整するか否かを決定し、無線接続を介し通信して良い。ある例では、現在の出力電力が比較的高い（例えば１０デシベルミリワット（ｄＢｍ）より大きい）場合に、第１の装置ドライバ２１４は第１のＷＣＤ２１０の送信電力を低減して良い（例えば０ｄＢｍまで低減する）。別の例では、アンテナ・アイソレーションの条件が比較的粗悪な（例えば３０ｄＢより低い）場合に、第１の装置ドライバ２１４は第１のＷＣＤ２１０の送信電力を低減して良い。更に別の例では、第１のＷＣＤ２１０がメッシュ・ネットワークでマルチホップを目的として用いられる場合に、第１の装置ドライバ２１４は第１のＷＣＤ２１０の送信電力を低減しても良い。更に又は代案として、第２のＷＣＤ２２０の出力電力が比較的高い（例えば２０ｄＢｍより高い）場合、及び／又はアンテナ・アイソレーション条件が比較的粗悪な（例えば４０ｄＢより低い）場合に、第１の装置ドライバ２１４は第１のＷＣＤ２１０の受信感度を調整し更に高い干渉入力電力を許容して良い。上述の例は送信出力電力及び受信感度に関し記載されたが、本願明細書に記載される方法及び装置は第１及び第２のＷＣＤ２１０及び２２０の他の適切な無線設定を調整して良い。
【００２２】
第１及び第２の装置ドライバ２１４及び２２４のそれぞれは、設定情報に基づき出優先信号を生成するか否かを決定しても良い。ある例では、第１のＮＩＤ２１６が重要な情報を通信している（例えば重要な情報を受信している及び／又は送信している）場合に、及び第１及び第２のＮＩＤ２１６及び２２６が同一周波数範囲、隣接する周波数範囲、重複する周波数範囲、又は比較的近接する周波数範囲（例えば周波数範囲間の間隔が１００メガヘルツ（ＭＨｚ）より近い）を用いている場合に、第１のＮＩＤ２１６は出優先信号を生成して良い。重要な情報は、ビーコンのようなパケット、音声パケット、ビデオ・パケット、及び／又はデータ・パケットであって良い。第１の装置ドライバ２１４が出優先信号を生成すると決定した場合、第１のＮＩＤ２１６は出優先信号を第２のＮＩＤ２２６へ第１の有線接続２４２を介し送信して良い。それにより、第２の装置ドライバ２２４は以下に詳細に記載されるように出優先信号を処理して良い（例えば第１のＮＩＤ２１６からの出優先信号は第２の装置ドライバ２２４に対しては入優先信号である）。
【００２３】
同様に、第２のＮＩＤ２２６は、設定情報に基づき出優先信号を生成するか否かを決定して良い。第２のＮＩＤ２２６が重要な情報を通信している場合に、及び第１及び第２のＮＩＤ２１６及び２２６が同一周波数範囲、隣接周波数範囲、重複周波数範囲、又は比較的近接する周波数範囲を用いている場合に、第２のＮＩＤ２２６は出優先信号を生成して良い。第２の装置ドライバ２２４が出優先信号を生成すると決定した場合、第２のＮＩＤ２２６は出優先信号を第１のＮＩＤ２１６へ第２の有線接続２４４を介し送信して良い。
【００２４】
従って、第１及び第２の装置ドライバ２１４及び２２４のそれぞれは、それぞれ第１及び第２のＮＩＤ２１６及び２２６が入優先信号を受信したが否かを決定して良い。特に、第１のＮＩＤ２１６は第２のＮＩＤ２２６から第２の有線接続２４４を介し入優先信号を受信して良い。第２のＮＩＤ２２６は第１のＮＩＤ２１６から第１の有線接続２４２を介し入優先信号を受信して良い。
【００２５】
ある例では、第１の装置ドライバ２１４は、第１のＷＣＤ２１０の無線通信活動が第２のＷＣＤ２２０の無線通信活動より高い優先度を有するか否かを、第１の有線接続２４２を介した第２のＮＩＤ２２６からの入優先信号に基づき決定して良い。第１のＷＣＤ２１０の無線通信活動が第２のＷＣＤ２２０の無線通信活動より高い優先度を有する場合、第１の装置ドライバ２１４は第２のＮＩＤ２２６からの入優先信号を無視するか又は無関心であって良い。従って、第１の装置ドライバ２１４及び／又は第１のＮＩＤ２１６は第１のＷＣＤ２１０の無線通信活動を続けて良い。
【００２６】
或いは、第１のＷＣＤ２１０の無線通信活動が第２のＷＣＤ２２０の無線通信活動より低い優先度を有する場合、第１の装置ドライバ２１４及び／又は第１のＮＩＤ２１６は第２のＮＩＤ２２０の無線通信活動を優先して良い。例えば、第１の装置ドライバ２１４及び／又は第１のＮＩＤ２１６は、１又は複数のパケットの送信を保持し、及び／又は１又は複数のパケットを送信から選択的に落とし、第１及び第２のＷＣＤ２１０及び２２０の性能を平衡させて良い。
【００２７】
第１の装置ドライバ２１４に関し記載された方法と同様に、第２の装置ドライバ２２４は、第２のＷＣＤ２２０の無線通信活動が第１のＷＣＤ２１０の無線通信活動より高い優先度を有するか否かを、第２の有線接続２４４を介した第１のＮＩＤ２１６からの入優先信号に基づき決定して良い。第２のＷＣＤ２２０の無線通信活動が第１のＷＣＤ２１０の無線通信活動より高い優先度を有する場合、第２の装置ドライバ２２４は第１のＮＩＤ２１６からの入優先信号を無視するか又は無関心であって良い。ある例では、第２のＷＣＤ２２０の無線通信活動は上述のように重要な情報であって良い。従って、第２の装置ドライバ２２４及び／又は第２のＮＩＤ２２６は第２のＷＣＤ２２０の無線通信活動を続けて良い。
【００２８】
或いは、第２のＷＣＤ２２０の無線通信活動が第１のＷＣＤ２１０の無線通信活動より低い優先度を有する場合（例えば、第１のＷＣＤ２１０で重要な情報を通信している場合）、第２の装置ドライバ２２４及び／又は第２のＮＩＤ２２６は第１のＷＣＤ２１０の無線通信活動を優先して良い。例えば、第２の装置ドライバ２２４及び／又は第２のＮＩＤ２２６は、１又は複数のパケットの送信を保持し、及び／又は１又は複数のパケットを送信から選択的に落とし、第１及び第２のＷＣＤ２１０及び２２０の性能を平衡させて良い。結果として、プラットフォーム共存システム２００は第１及び第２のＷＣＤ２１０及び２２０の間の干渉を軽減し得る。本願明細書に記載される方法及び装置はこの点において限定されない。
【００２９】
図２は２個の無線通信装置を示すが、本願明細書に記載の方法及び装置は追加の無線通信装置を有して良い。図３を参照する。例えば、プラットフォーム共存システム３００は、一般的に３１０、３２０、及び３３０として示される３個以上の無線通信装置を有して良い。プラットフォーム共存システム３００は単一プラットフォームに統合されて良い。本願明細書に記載される方法及び装置はこの点において限定されない。
【００３０】
ある例では、プラットフォーム共存システム３００はＷＰＡＮ装置３１０、ＷＬＡＮ装置３２０、及びＷＭＡＮ装置３３０を有して良い。ＷＰＡＮ装置３１０は比較的短距離の技術、例えばＢｌｕｅｔｏｏｔｈ（登録商標）技術（例えば２００２年発行のＩＥＥＥ規格８０２．１５．１、当該規格の変形及び／又は展開）又はＵＷＢ技術（例えば２００３年発行のＩＥＥＥ規格８０２．１５．３、当該規格の変形及び／又は展開）に基づき動作して良い。或いは、ＷＰＡＮ装置３１０は無線タグ（ＲＦＩＤ）技術又はＷｉ−Ｆｉ技術に基づき動作して良い。  ＷＬＡＮ装置３２０はＷｉ−Ｆｉ技術（例えばＩＥＥＥ規格８０２．１１ｘ）に基づき動作して良く、ＷＭＡＮ装置３３０はＷｉＭＡＸ技術（例えばＩＥＥＥ規格８０２．１６ｘ）に基づき動作して良い。互いに設定情報を交換するために、ＷＰＡＮ装置３１０、ＷＬＡＮ装置３２０、及びＷＭＡＮ装置３３０は、バス３４０を介し互いに動作可能に結合されて良い。優先信号を送信するために、ＷＰＡＮ装置３１０及びＷＬＡＮ３２０は、一般的に３５２及び３５４として示される１又は複数の有線接続を介し互いに動作可能に結合されて良い。有線接続３５２及び３５４のそれぞれは単方向であり、それぞれの無線通信装置からの優先情報を送信して良い。ある例では、ＷＰＡＮ装置３１０は有線接続３５２を介しＷＬＡＮ装置３２０へ優先信号を送信して良く、ＷＬＡＮ装置３２０は線接続３５４を介しＷＰＡＮ装置３１０へ優先信号を送信して良い。
【００３１】
上述の例によると、ＷＭＡＮ装置３３０は、一般的に３６２及び３６４として示される１又は複数の有線接続を介しＷＬＡＮ装置３２０と動作可能に結合されて良い。特に、有線接続３６２は有線接続３５２と動作可能に結合されて良い。結果として、ＷＭＡＮ装置３３０は有線接続３５２及び３６２を介してＷＬＡＮ装置３２０へ優先信号を送信して良い。同様に、有線接続３６４は有線接続３５４と動作可能に結合されて良く、それによりＷＬＡＮ装置３２０はＷＭＡＮ装置３３０へ有線接続３５４及び３６４を介し優先信号を送信して良い。
【００３２】
図３は無線通信装置３１０、３２０、及び３３０が互いに動作可能に結合される特定の方法を示す。無線通信装置３１０、３２０、及び３３０は動作可能に結合され、他の適切な方法で設定情報を交換し又は優先信号を送信して良い。図３はプラットフォーム共存システム３００内にＷＰＡＮ装置、ＷＬＡＮ装置、及びＷＭＡＮ装置を示すが、本願明細書に記載された方法及び装置は、他の適切な種類の無線通信ネットワークに従い動作する他の無線通信装置を有して良く、及び／又は無線通信装置の他の組合せを有して良い。ある例では、プラットフォーム共存システム３００は、追加の無線通信装置としてＷＷＡＮの無線通信装置、又は適切な無線通信装置を有して良い。別の例では、プラットフォーム共存システム３００は第１のＷＰＡＮ装置、第２のＷＬＡＮ装置、及びＷＭＡＮ装置を有して良い。Ｗｉ−Ｆｉ技術は第１及び第２のＷＰＡＮ装置の一方又は両方により用いられて良い。本願明細書に記載される方法及び装置はこの点において限定されない。
【００３３】
上述のように、プラットフォーム共存システム２００及び３００は加入者局内に実施されて良い。図４を参照する。例えば、加入者局４００は一般的に第１のＷＣＤ４１０及び第２のＷＣＤ４２０として示される２以上のＷＣＤを有して良い。加入者局４００はまた、制御部４３０及びメモリー４４０を有して良い。第１及び第２のＷＣＤ４１０及び４２０、制御部４３０、及びメモリー４４０はバス４５０を介し互いに動作可能に結合されて良い。
【００３４】
第１及び第２のＷＣＤ４１０及び４２０のそれぞれは、それぞれ一般的に４１２及び４２２として示される受信機を有して良い。第１及び第２のＷＣＤ４１０及び４２０のそれぞれは、それぞれ一般的に４１４及び４２４として示される送信機を有して良い。第１のＷＣＤ４１０はそれぞれ受信機４１２及び送信機４１４を介しデータを受信及び／又は送信して良い。第２のＷＣＤ４２０はそれぞれ受信機４２２及び送信機４２４を介しデータを受信及び／又は送信して良い。第１及び第２のＷＣＤ４１０及び４２０のそれぞれは、それぞれ一般的に４１６及び４２６として示されるアンテナを有して良い。アンテナ４１６及び４２６のそれぞれは、１又は複数の指向性又は全方向性アンテナ、例えばダイポール・アンテナ、モノポール・アンテナ、パッチ・アンテナ、ループ・アンテナ、マイクロストリップ・アンテナ、及び／又はＲＦ信号の送信に適した他の種類のアンテナを有して良い。図４は第１及び第２のＷＣＤ４１０及び４２０のそれぞれに対し単一のアンテナを示したが、第１及び第２のＷＣＤ４１０及び４２０のそれぞれは追加のアンテナを有して良い。例えば、第１及び第２のＷＣＤ４１０及び４２０のそれぞれは複数のアンテナを有し、多入力多出力（ＭＩＭＯ）システムを実施して良い。
【００３５】
第１及び第２のＷＣＤ４１０及び４２０では、並置方式で動作するために、図５と関連して記載されるように制御部４３０は第１及び第２のＷＣＤ４１０及び４２０の間で設定情報の交換を実現する。メモリー４４０が用いられ、設定情報及び／又は他の適切な情報を格納して良い。
【００３６】
図４はバス４５０を介し互いに結合する加入者局４００の構成要素を示すが、これらの構成要素は他の適切な直接又は間接接続（例えば、ポイント・ツー・ポイント接続又はポイント・ツー・マルチポイント接続）を介し互いに動作可能に結合されて良い。ある例では、第１及び第２のＷＣＤ４１０及び４２０は１又は複数の有線接続４６０を介し互いに動作可能に結合され、優先情報を交換して良い。図４は双方向有線接続を示すが、有線接続４６０は、第１及び第２のＷＣＤ４１０及び４２０を動作可能に結合する２つの別個の単方向有線接続を有して良い。例えば、第１のＷＣＤ４１０は一方の有線接続を用い優先情報を第２のＷＣＤ４２０へ送信して良く、第２のＷＣＤ４２０は他方の有線接続を用い優先情報を第１のＷＣＤ４１０へ送信して良く
図４に示された構成要素は加入者局４００内の別個のブロックとして示されるが、これらブロックのいくつかにより実行される機能は単一の半導体回路内に統合されて良く、又は２以上の別個の集積回路を用い実施されて良い。例えば、受信機４１２及び送信機４１４は通信インタ―フェース４１０内の別個のブロックとして示されるが、受信機４１２は送信機４１４内に（通信機として）統合されて良い。更に、図４は２個のＷＣＤを示すが、加入者局４００は追加のＷＣＤを有して良い。上述の例は加入者局に関して記載されたが、本願明細書に記載された方法及び装置は他の適切な装置、例えば無線ネットワーク・ゲートウェイ、ルーター、モデム、ハブ等に実施されて良い。本願明細書に記載される方法及び装置はこの点において限定されない。
【００３７】
図５は無線通信装置が図２及び／又は３の例であるプラットフォーム共存システムを提供するよう設定される方法を示す。図５の例である処理５００は、揮発性若しくは不揮発性又は他の大容量記憶装置（例えば、フロッピー（登録商標）・ディスク、ＣＤ、及びＤＶＤ）のような機械アクセス可能な媒体の如何なる組合せに格納された多くの異なるプログラム・コードの何れを利用して機械アクセス可能な命令として実施されても良い。例えば、機械アクセス可能な命令は、機械アクセス可能な媒体、例えばプログラマブル・ゲート・アレイ、特定用途向け集積回路（ＡＳＩＣ）、消去可能プログラマブル読み出し専用メモリー（ＥＰＲＯＭ）、読み出し専用メモリー（ＲＯＭ）、ランダム・アクセス・メモリー（ＲＡＭ）、磁気媒体、光学媒体、及び／又は他の適切な種類の媒体に組み入れられて良い。
【００３８】
更に、図５には特定の動作順序が示されるが、これらの動作は他の時系列で実行されても良い。再び、例である処理５００は単に図４の装置と関連して、プラットフォーム共存システムを提供する１つの方法の例として提供され記載される。
【００３９】
図５の例では、処理５００の開始時に、第１及び第２のＷＣＤ４１０及び４２０は（例えば制御部４３０を介し）互いに設定情報を交換する。特に、第１のＷＣＤ４１０は第２のＷＣＤ４２０と関連付けられた設定情報を受信して良い。例えば、第１のＷＣＤ４１０は、第２のＷＣＤ４２０と関連付けられたチャンネル、帯域幅、送信電力、フロントエンド・フィルター、受信感度、又はアンテナ・アイソレーションを示す情報を受信して良い（ブロック５１０）。従って、第１のＷＣＤ４１０は第１のＷＣＤ４１０と関連付けられた設定情報を第２のＷＣＤ４２０へ送信して良い（ブロック５２０）。例えば、第１のＷＣＤ４１０は第２のＷＣＤ４２０がオンに切り替えられたことを検出すると、設定情報を第２のＷＣＤ４２０へ送信して良い。
【００４０】
設定情報に基づき、第２のＷＣＤ４１０は、第１のＷＣＤ４１０の無線設定を調整するか否かを決定し、無線接続を介し通信して良い。特に、第１のＷＣＤ４１０は調整条件を監視して良い（ブロック５３０）。第１のＷＣＤ４１０が調整条件の検出し失敗した場合、以下に詳細に記載されるように、制御は直接ブロック５４０へ進んで良い。
【００４１】
或いは、第１のＷＣＤ４１０が調整条件を検出した場合、第１のＷＣＤ４１０は第１のＷＣＤ４１０の無線設定を調整して良い（ブロック５３５）。ある例では、現在の出力電力が比較的高い（例えば１０デシベルミリワット（ｄＢｍ）より大きい）場合に、第１のＷＣＤ４１０は送信電力を低減して良い（例えば０ｄＢｍまで低減する）。別の例では、アンテナ・アイソレーションの条件が比較的粗悪な（例えば３０ｄＢより低い）場合に、第１のＷＣＤ４１０は送信電力を低減して良い。更に別の例では、第１のＷＣＤ４１０がメッシュ・ネットワークでマルチホップを目的として用いられない場合に、第１のＷＣＤ４１０は送信電力を低減しても良い。更に又は代案として、第２のＷＣＤ４２０の出力電力が比較的高い（例えば２０ｄＢｍより高い）場合、及び／又はアンテナ・アイソレーション条件が比較的粗悪な（例えば４０ｄＢより低い）場合に、第１のＷＣＤ４１０は受信感度を調整し更に高い干渉入力電力を許容して良い。以下に詳細に記載されるように、制御はブロック５４０へ進んで良い。
【００４２】
第１のＷＣＤ４１０は、設定情報に基づき第２のＷＣＤ４２０への出優先信号を生成するか否かを決定して良い（ブロック５４０）。ある例では、第１のＷＣＤ４１０が重要な情報を通信している場合に、及び第１及び第２のＷＣＤ４１０及び４２０が同一周波数範囲、隣接周波数範囲、重複周波数範囲、又は比較的近接する周波数範囲を用いている場合に、第１のＷＣＤ４１０は出優先信号を生成して良い。
【００４３】
第１のＷＣＤ４１０が出優先信号を生成しない場合、以下に詳細に記載されるように、制御は直接ブロック５５０へ進んで良い。或いは、第１のＷＣＤ４１０が出優先信号を生成する場合、第１のＷＣＤ４１０は第２のＷＣＤ４２０へ出優先信号を送信して良い（ブロック５４５）。以下に詳細に記載されるように、制御はブロック５５０へ進んで良い。
【００４４】
ブロック５５０へ戻り、第１のＷＣＤ４１０は第２のＷＣＤ４２０からの入優先信号を監視して良い。第１のＷＣＤ４１０が入優先信号を受信しない場合、制御は直接ブロック５５５へ進み、第１のＷＣＤ４１０の通信活動を実行して良い。
【００４５】
或いは、ブロック５５０で第１のＷＣＤ４１０が入優先信号を受信する場合、第１のＷＣＤ４１０は、第１のＷＣＤ４１０が入優先信号により示される第２のＷＣＤ４２０の通信活動より高い優先度を有するか否かを決定して良い（ブロック５６０）。第１のＷＣＤ４１０の通信活動が第２のＷＣＤ４２０の通信活動より高い優先度を有さない場合、第１のＷＣＤ４１０は第２のＷＣＤ４２０の無線通信活動を優先して良い。ある例では、第１のＷＣＤ４１０は１又は複数のパケットの送信を保持するか、及び／又は１又は複数のパケットを送信から選択的に落として良い。
【００４６】
或いは、第１のＷＣＤ４１０の無線通信活動が第２のＷＣＤ４２０の無線通信活動より高い優先度を有する場合、第１のＷＣＤ４１０は第２のＷＣＤ４２０からの入優先信号を無視して良い（ブロック５６５）。従って、第１のＷＣＤ４１０はブロック５５５へ進み、第１のＷＣＤ４１０の無線通信活動を続けて良い。第２のＷＣＤ４２０は図５と関連して記載された方法と同様に動作し、プラットフォーム共存システムを提供する。本願明細書に記載される方法及び装置はこの点において限定されない。
【００４７】
図６は、本願明細書で開示される方法及び装置を実施するために用いられる処理システム２００の例を示すブロック図である。処理システム２０００は、デスクトップ・コンピューター、ラップトップ・コンピューター、ハンドヘルド・コンピューター、タブレット・コンピューター、ＰＤＡ、サーバー、インターネット家電、及び／又は如何なる他の種類のコンピューター装置であって良い。
【００４８】
図６に示された処理システム２０００はチップセット２０１０を有する。チップセット２０１０はメモリー制御部２０１２、及び入力／出力（Ｉ／Ｏ）制御部２０１４を有する。チップセット２０１０は、プロセッサー２０２０によりアクセス可能又は使用可能なメモリー及びＩ／Ｏ管理機能、及び複数の汎用及び／又は特定用途レジスタ、タイマー、等を提供して良い。プロセッサー２０２０は１又は複数のプロセッサー、ＷＰＡＮ構成要素、ＷＬＡＮ構成要素、ＷＭＡＮ構成要素、ＷＷＡＮ構成要素、及び／又は他の適切な処理構成要素を用い実施されて良い。例えば、プロセッサー２０２０は、Ｉｎｔｅｌ（登録商標）Ｐｅｎｔｉｕｍ（登録商標）技術、Ｉｎｔｅｌ（登録商標）Ｉｔａｎｉｕｍ（登録商標）技術、Ｉｎｔｅｌ（登録商標）Ｃｅｎｔｒｉｎｏ（登録商標）技術、Ｉｎｔｅｌ（登録商標）Ｘｅｏｎ（商標）技術、及び／又はＩｎｔｅｌ（登録商標）ＸＳｃａｌｅ（登録商標）技術、の１又は複数を用いて実施されて良い。代案として、他の処理技術が用いられプロセッサー２０２０を実施しても良い。プロセッサー２０２０は、第一水準の統合キャッシュ（Ｌ１）、第二水準の統合キャッシュ（Ｌ２）、第三水準の統合キャッシュ（Ｌ３）、及び／又は如何なる他の適切な構造を用いるキャッシュ２０２２を有し、データを格納して良い。
【００４９】
メモリー制御部２０１２は、プロセッサー２０２０が、バス２０４０を介し、揮発性メモリー２０３２及び不揮発性メモリー２０３４を有する主記憶２０３０にアクセスすること及び通信することを可能にする機能を実行して良い。揮発性メモリー２０３２は同期型ダイナミック・ランダム・アクセス・メモリー（ＳＤＲＡＭ）、ダイナミック・ランダム・アクセス・メモリー（ＤＲＡＭ）、ＲＡＭＢＵＳダイナミック・ランダム・アクセス・メモリー（ＲＤＲＡＭ）、及び／又は他の種類のランダム・アクセス・メモリー素子により実施されて良い。不揮発性メモリー２０３４は、フラッシュ・メモリー、読み出し専用メモリー（ＲＯＭ）、電気的消去可能なプログラマブル読み出し専用メモリー（ＥＥＰＲＯＭ）、及び／又は他の所望の種類のメモリー素子により実施されて良い。
【００５０】
処理システム２０００はまた、バス２０４０と結合されたインターフェース回路２０５０を有して良い。インターフェース回路２０５０は、如何なる種類のインターフェース規格、例えばＥｔｈｅｒｎｅｔ（登録商標）インターフェース、ユニバーサル・シリアル・バス（ＵＳＢ）、第３世代入力／出力インターフェース（３ＧＩＯ）インターフェース、及び／又は他の適切な種類のインターフェースを用い実施されて良い。
【００５１】
１又は複数の入力装置２０６０はインターフェース回路２０５０と接続されて良い。入力装置２０６０は個人がデータ及びコマンドをプロセッサー２０２０に入力することを可能にする。例えば、入力装置２０６０はキーボード、マウス、タッチパネル・ディスプレイ、トラック・パッド、トラック・ボール、アイソポイント、及び／又は音声認識システムにより実施されて良い。
【００５２】
１又は複数の出力装置２０７０はインターフェース回路２０５０と接続されて良い。例えば、出力装置２０７０は、ディスプレイ装置（例えば発光ダイオード（ＬＥＤ）ディスプレイ、液晶ディスプレイ（ＬＣＤ）、ブラウン管（ＣＲＴ）ディスプレイ、プリンター及び／又はスピーカー）により実施されて良い。インターフェース回路２０５０は特にグラフィック・ドライバ・カードを有して良い。
【００５３】
処理システム２０００はまた、１又は複数の大容量記憶装置２０８０を有し、ソフトウェア及びデータを格納して良い。このような大容量記憶装置２０８０の例は、フロッピー（登録商標）・ディスク及びドライブ、バード・ディスク・ドライブ、コンパクト・ディスク及びドライブ、並びにデジタル・バーサタイル・ディスク（ＤＶＤ）及びドライブ、を有する。
【００５４】
インターフェース回路２０５０はまた、通信装置、例えばモデム又はネットワーク・インターフェース・カードを有し、外部コンピューターとネットワークを介しデータ交換を実現してよい。処理システム２０００とネットワークとの間の通信接続は、如何なる種類のネットワーク接続、例えばＥｔｈｅｒｎｅｔ（登録商標）接続、デジタル加入者線（ＤＳＬ）、電話線、携帯電話システム、同軸ケーブル、等であって良い。
【００５５】
入力装置２０６０、出力装置２０７０、大容量記憶装置２０８０、及び／又はネットワークへのアクセスは、Ｉ／Ｏ制御部２０１４により制御されて良い。特に、Ｉ／Ｏ制御部２０１４は、プロセッサー２０２０が入力装置２０６０、出力装置２０７０、大容量記憶装置２０８０、及び／又はネットワークとバス２０４０及びインターフェース回路２０５０を介し通信することを可能にする機能を実行して良い。
【００５６】
図６に示された構成要素は処理システム２０００内の別個のブロックとして示されるが、これらブロックのいくつかにより実行される機能は単一の半導体回路内に統合されて良く、又は２以上の別個の集積回路を用い実施されて良い。例えば、メモリー制御部２０１２及びＩ／Ｏ制御部２０１４はチップセット２０１０内の別個のブロックとして示されるが、メモリー制御部２０１２及びＩ／Ｏ制御部２０１４は単一の半導体回路内に統合されて良い。
【００５７】
特定の例である方法、装置、及び商品が以上に記載されたが、本開示が包含する範囲はこれらに限定されない。むしろ、本開示は文字通り又は均等論に基づき特許請求の範囲に包含される全ての方法、装置、及び商品を含む。例えば、以上に開示されたシステムの例は特にハードウェアで実行されるソフトウェア又はファームウェアを含むが、留意すべき点は、このようなシステムが単なる説明のためであり限定として見なされるべきでないことである。特に、開示されたハードウェア、ソフトウェア、及び／又はファームウェア構成要素の何れか又は全ては、ハードウェアだけで、ソフトウェアだけで、ファームウェアだけで、又はハードウェア、ソフトウェア、及び／又はファームウェアの特定の組合せで実現されて良いことが考えられる。
【図１】
0005399463.tif 000002
【図２】
0005399463.tif 000003
【図３】
0005399463.tif 000004
【図４】
0005399463.tif 000005
【図５】
0005399463.tif 000006
【図６】
0005399463.tif 000007